(57)【要約】【課題】本発明は、身頃の衿首部で下から上に向かって内側にカールする新規な巻き衿の編成方法と、その巻き衿を有する編地を提供することを目的とする。【解決手段】横編機を用いて、身頃を衿首部まで編成し、該衿首部の最終コースの編目を一方の針床の編針で係止するとともに、他方の針床の編針で編出し編成を行い、前記身頃と面する大部分の編目が裏目となるように衿編地を所定のコース数編成し、身頃の衿首部と衿編地との最終コースの編目同士を重ねて接続することで、ニットウェアの衿首部で下から上に向かって内側にカールする、ボリューム感に富んだ巻き衿を得る。【選択図】図２
2012251255.tif 000002
【特許請求の範囲】
【請求項１】
少なくとも前後一対の針床を有する横編機を用いて、身頃の衿首部でカールする衿編地を形成する編成方法であって、
身頃を衿首部まで編成し、該衿首部の最終コースの編目を一方の針床の編針で係止するとともに、他方の針床の編針で編出し編成を行い、前記身頃と面する大部分の編目が裏目となるように衿編地を所定のコース数編成し、身頃の衿首部と衿編地との最終コースの編目同士を重ねて接続することを特徴とする衿編地の編成方法。
【請求項２】
衿編地の編成において、複数コースで１つの編目列を形成するように、各コースでは該複数よりも１少ない数の編目位置の間隔をおいて編目を形成しながら、コース毎に編目を形成する編目位置を順次変えるようにすることを特徴とする、請求項１に記載の編成方法。
【請求項３】
横編機を用いて編成され、身頃の衿首部にカールする衿編地を形成した編地であって、
身頃の衿首部と、身頃とは別途に編出されて身頃と面する大部分の編目が裏目で形成された衿編地とが、最終コースの編目同士を重ねながら接続されており、該接続部を基点として衿編地の編出し部が身頃から離間するようにカールすることを特徴とする巻き衿を有する編地。
【発明の詳細な説明】
【技術分野】
【０００１】
本発明は、横編機を用いて編まれる巻き衿の編成方法および巻き衿を有する編地に関する。
【背景技術】
【０００２】
身頃の衿首部の編成において、巻き衿を形成することがある。天竺組織などで編まれた衿編地は、表目の面を内側にしてカールする特性を持ち、通常の巻き衿の編成にはこの特性を利用する。
【０００３】
図４は、従来方法における巻き衿の形成工程を示す図である。従来の巻き衿の編成では、図示しない横編機を用いて前身頃１を衿首部３まで編成した後、続けて衿編地２を所望のコース数だけ天竺編みなどで編成し、終端部６の編目列を伏目処理して終了する（図４−Ａ）。編地を横編機から取り外すと、衿編地２が表目側２ａを内側にしてカールする（図４−Ｂ）。図４−Ｃは、図４−ＢのＸ−Ｘ矢視図である。衿編地２の表目側２ａを前身頃１の表面１ａと同じ向きに形成すれば、ニットウェアの外側に対して上から下にカールする巻き衿を得ることができる。
【発明の概要】
【発明が解決しようとする課題】
【０００４】
前記従来方法による巻き衿ではカールの終端が伏目で形成されるため、その部分が見えて風合いを損ねる場合があった。
【０００５】
本発明は、従来とは異なる方法を用いて、身頃の衿首部で下から上に向かって内側にカールする新規な巻き衿の編成方法と、その巻き衿を有する編地を提供することを目的とする。
【課題を解決するための手段】
【０００６】
本発明は、少なくとも前後一対の針床を有する横編機を用いて、身頃の衿首部でカールする衿編地を形成する編成方法であって、
身頃を衿首部まで編成し、該衿首部の最終コースの編目を一方の針床の編針で係止するとともに、他方の針床の編針で編出し編成を行い、前記身頃と面する大部分の編目が裏目となるように衿編地を所定のコース数編成し、身頃の衿首部と衿編地との最終コースの編目同士を重ねて接続することを特徴とする衿編地の編成方法である。なお、「大部分の編目が裏目となる」とは、表目やミスなどによる組織柄を部分的に設ける場合も含むことを示し、通常の天竺組織であれば身頃と面する全ての編目が裏目となるように編成する。
【０００７】
また本発明は、衿編地の編成において、複数コースで１つの編目列を形成するように、各コースでは該複数よりも１少ない数の編目位置の間隔をおいて編目を形成しながら、コース毎に編目を形成する編目位置を順次変えるようにすることを特徴とする編成方法である。
【０００８】
また本発明は、横編機を用いて編成され、身頃の衿首部にカールする衿編地を形成した編地であって、
身頃の衿首部と、身頃とは別途に編出されて身頃と面する大部分の編目が裏目で形成された衿編地とが、最終コースの編目同士を重ねながら接続されており、該接続部を基点として衿編地の編出し部が身頃から離間するようにカールすることを特徴とする巻き衿を有する編地である。
【発明の効果】
【０００９】
本発明では、身頃を衿首部まで編成し、該衿首部の最終コースの編目を一方の針床の編針で係止するとともに、他方の針床の編針で編出し編成を行い、前記身頃と面する大部分の編目が裏目となるように衿編地を所定のコース数編成し、身頃の衿首部と衿編地との最終コースの編目同士を重ねて接続する。従って、衿編地は、身頃との接続部を基点として編出し部を身頃から離間するように、表目の面を内側にしてカールする。これにより、ニットウェアの衿首部で下から上に向かって内側にカールする、ボリューム感に富んだ巻き衿を得ることができる。
【００１０】
また、衿編地の編成において、複数コースで１つの編目列を形成するように、各コースでは該複数よりも１少ない数の編目位置の間隔をおいて編目を形成しながら、コース毎に編目を形成する編目位置を順次変える所謂スムース編みを行うので、衿編地は天竺組織で形成するときよりもカールが強まり、ボリューム感がさらに高まる。
【００１１】
また、本発明による編地は、身頃の衿首部との接続部を基点として衿編地が編出し部を身頃から離間させるようにカールするので、前後の身頃を接続してニットウェアとしたときに、衿首部で下から上に向かって内側にカールして接続部を隠すことができ、美しい仕上がりとなる。
【図面の簡単な説明】
【００１２】
【図１】本発明の実施例における巻き衿を備えたニットウェアの外観を示す図である。
【図２】本発明の実施例における巻き衿の形成工程を示す図である。
【図３】本発明の実施例における巻き衿の編成図である。
【図４】従来方法における巻き衿の形成工程を示す図である。
【発明を実施するための形態】
【００１３】
以下、本発明の実施例として、巻き衿の編成について説明する。以下の説明で編成に使用する横編機は、前後一対の針床を備えた２枚ベッド横編機であり、後針床が前針床に対してラッキング可能で、針床の上方に複数の給糸口を有するものである。編成図では、説明の便宜のため、針数を実際の編成より少なくしている。
【実施例】
【００１４】
図１は、巻き衿を有するニットウェア２０の外観を示す図である。衿編地２は一端が衿首部３に接続されており、ニットウェア２０の外側に膨らみを成しながら下から上に向かってカールするとともに、他端を衿首開口の内側に納めるようにして巻き衿を形成している。なお、図中のニットウェア２０は、前後の身頃と両袖とを接続して得られるものであり、以下では前身頃１とこれに続く前側の衿編地２とに着目して説明する。
【００１５】
図２は、本発明の実施例における巻き衿の形成工程を示す図である。図４に示した従来方法とは異なり、本発明では衿編地２を前身頃１とは別に編出して形成する。前身頃１を衿首部３まで編成した後、衿首部３の最終コースの編目を一方の針床の編針で係止した状態で、他方の針床の編針を用いて新たに編出し部４を形成する。編出し部４に続いて衿編地２を所望のコース数だけ天竺組織などで編成するが、このとき前身頃１と面する大部分の編目が裏目となるように衿編地２を編成する。これにより、衿編地２の表目側２ａと前身頃１の表面１ａとが同じ方向を向く（図２−Ａ）。そして、衿編地２と前身頃１の最終コースの編目同士を重ねるとともに、公知の伏目処理を施すなど任意の方法によりこれらを接続する（図２−Ｂ）。符号５は接続部である。横編機から取り外された編地は、図２−Ｃに示すように衿編地２がその表目側２ａを内側にしてカールし、巻き衿を形成する。図２−Ｄは、図２−ＣのＸ−Ｘ矢視図である。
【００１６】
図３は、本発明の実施例における巻き衿の編成図であり、前述した図２−Ａ，Ｂにおける具体的な編成工程を示すものである。編成図において、図中左側の数字は編成ステップ（Ｓ）を示し、左右方向の矢印は編成方向を、上下方向の矢印は目移し方向を示し、ＦＢは前針床を、ＢＢは後針床を示す。大文字のＡ〜ＯはＦＢの編針を、小文字のａ〜ｏはＢＢの編針を示す。また、丸印はその編成ステップで形成される新たな編目を、Ｖ印は掛け目を、二重丸印は重ね目を示す。尚、その編成ステップでの編成に関係せず、編針に係止されたままの編目については図示を省略している。また、図中右側の数字は、編成コースに対応する編地各部の符号を示す。符号１０，１１は給糸口を示し、図示しないキャリッジに連行されて編成方向に移動して、編針に編糸を供給する。実施例では、前身頃１の編成に給糸口１０を用い、衿編地２の編成に給糸口１１を用いる。
【００１７】
以下、図３の編成ステップＳ１〜Ｓ８について説明する。Ｓ１，Ｓ２は、前身頃１の編成を示しており、図示しない編出し編成に続けて、ＢＢの編針ａ〜ｏの全てを用いて天竺組織を形成する。Ｓ１，Ｓ２の編成を所望のコース数繰り返した後、衿首部３となる前身頃１の最終コースの編目を形成する。
【００１８】
Ｓ２で前身頃１の編成を終えた後、Ｓ３，Ｓ４で新たに衿編地２の編出し編成を行う。Ｓ３でＦＢの１つおきの編針（編針Ａ，Ｃ，・・・，Ｍ，Ｏ）を用いて掛け目を行い、続くＳ４ではＳ３で用いなかったＦＢの編針（Ｎ，Ｌ，・・・，Ｄ、Ｂ）を用いて掛け目を行い、インターロックの編出し部４を形成する。編出し部４に続き、Ｓ５，Ｓ６ではＳ３，Ｓ４と同様にＦＢの編針を１つおきに使用してスムース編みを行う。スムース編みは、複数の編成コースで１列の編目列を形成する編成方法であり、本実施例では２コースで１列の編目列を形成する。Ｓ５，Ｓ６の編成を所望のコース数繰り返して衿編地２を形成したら、Ｓ７で衿編地２と前身頃１の最終コースの編目同士を重ねる。そして、Ｓ８で重ねた編目に対して新たに編目を形成し、図示しない公知の伏目処理などで両者を接続する。
【００１９】
以上の編成工程により、図２−Ｃに示される巻き衿を有する編地が得られる。図２−Ｄにおいて、衿編地２と前身頃１は最終コースの編目同士が接続されており、本来は接続部５を基点にして両者が図中の下方向に平行に延びる。しかし、前述のとおり天竺組織などで編成された衿編地２は、表目側２ａを内側にしてカールする特性を有し、これに伴って編出し部４が接続部５を覆い隠すようにして巻き衿の内側へ変位する。従って、本発明によれば、従来方法のように伏目処理した部分が見えて風合いを損ねるようなことはなく、美しい巻き衿を得ることができる。また、衿編地２をスムース編みで編成したので、通常の天竺組織よりも強いカールとなり、ボリューム感に富んだ巻き衿を形成することができる。
【００２０】
なお、実施例では、前身頃１の表面１ａを裏目で形成する例を示したが、表目で形成する場合はＦＢの編針を用いて天竺組織を形成した後、最終コースの編目をＢＢへ目移しすればよい。また、前身頃１は天竺組織に限らず、リブなどの任意の編み組織で編成してもよい。
【００２１】
また、実施例では、衿編地２の組織にスムース編みを用いたが、天竺組織で形成してもよく、カールの特性に支障がない範囲で部分的に組織柄などを設けてもよい。
【００２２】
また、実施例では、２コースで１列の編目列を形成するスムース編みの例を示したが、３コースで１列の編目列を形成してもよく、コース数は任意である。なお、各コースでは１列の編目列を形成するために要するコース数よりも１少ない数の編目位置の間隔をおいて編目を形成しながら、コース毎に編目を形成する編目位置を順次変えるようにする。３コースでスムース編みを行う場合、各編成コースでは２本ずつ間隔を空けながら編目を形成する。同様の編成は編出し部４のインターロック編成でも利用可能である。
【００２３】
また、実施例では、衿編地２と前身頃１の接続部５を伏目処理で形成する例を示したが、重ね目に対して熱収縮性糸や熱溶融性糸を用いてこれらを接続してもよい。
【００２４】
また、実施例では、２枚ベッド機で前身頃１と衿編地２を編成する例を示したが、前身頃と後身頃の両側端部が繋がった状態で横編機上で編成する公知の筒状編成を行なう場合でも、本発明を適用することができる。本発明は上記実施例に限定されるものではなく、本発明の主旨に逸脱しない範囲において実施可能である。
【符号の説明】
【００２５】
１    前身頃
１ａ  前身頃の表面
２    衿編地
２ａ  衿編地の表目側
２ｂ  衿編地の裏目側
３    衿首部
４    編出し部
５    接続部
６    終端部
１０，１１    給糸口
２０  ニットウェア
【図１】
2012251255.tif 000003
【図２】
2012251255.tif 000004
【図３】
2012251255.tif 000005
【図４】
2012251255.tif 000006